(57)【特許請求の範囲】
【請求項１】
住宅用の外壁パネル間の目地に嵌入されたガスケットシール材を固定する目地ガスケットの止め部材において、前記ガスケットシール材の端部から長手方向に形成された中空部に嵌入される爪部と、該爪部の嵌入方向に対して略直角内側に折れ曲がって形成され、前記外壁パネルの端部に固定するための貼着層が裏面に設けられた平板と、からなることを特徴とする目地ガスケットの止め部材。
【請求項２】
少なくとも二対のシールリップ部が側面部に形成され、住宅用の外壁パネル間の目地に嵌入されたガスケットシール材を固定する目地ガスケットの止め部材において、前記ガスケットシール材の二対のシールリップ部の間に挿入されるとともに係止される爪部と、該爪部の挿入方向に対して略直角内側に折れ曲がって形成され、前記外壁パネルの端部に固定するための貼着層が裏面に設けられた平板と、からなることを特徴とする目地ガスケットの止め部材。
【請求項３】
前記貼着層は、両面テープを貼着することにより設けられたことを特徴とする請求項１又は請求項２に記載の目地ガスケットの止め部材。
【発明の詳細な説明】
【０００１】
【発明の属する技術分野】
本発明は、住宅用の外壁パネル間の目地空間に沿って嵌入されたガスケットシール材を固定して収縮及び脱落を防止する目地ガスケットの止め部材に関する。
【０００２】
【従来の技術】
図６に示すように、住宅用の外壁パネル１，１間の目地２にはガスケットシール材３が嵌入されている。ガスケットシール材３の両側面にはそれぞれ対になった目地幅よりも広い複数のシールリップ部３ａと３ｂ，３ｃと３ｄ，３ｅと３ｆが形成されていて、このシール材の嵌入でシールリップ部が湾曲し目地２の側面に弾接することにより雨水の住居への侵入を防止している。なお、外壁パネル１は、外装材１ａとパネルフレーム１ｂからなっている。
ガスケットシール材３の底部の所定間隔を離した位置には止め部材４が複数（図６ではそのうちの１つだけを示した）取り付けられている。
【０００３】
止め部材４は、図７に示すように、両側面が折り曲げ可能な板であり、嵌入時にガスケットシール材３の先端部、すなわちシールリップ部３ａと３ｂをその板にのせて中央部４ａを折り返して、かしめることによりガスケットシール材３に取り付けられるようになっている。
このような止め部材４を使用することによって、ガスケットシール材３は長期間にわたって収縮及び脱落の心配がなく外観を良好に保つことができる。
【０００４】
【発明が解決しようとする課題】
しかしながら、従来例に示す目地ガスケットの止め部材４はガスケットシール材３と目地２との間に位置して取り付けられるため、外部から視認することができない。このため、設計通りに納まっているか否か確認することができない。また、長期間経過後にも取り付けが強固であるか否か確認することもできないといった問題がある。
【０００５】
そこで本発明の目的は、上記課題を解消することにあり、取り付け状態を視認することができ、しかも長期にわたり収縮及び脱落の心配のない目地ガスケットの止め部材を提供することにある。
【０００６】
【課題を解決するための手段】
上記の目的を達成するために、本発明の目地ガスケットの止め部材（１０）は、住宅用の外壁パネル（１，１）間の目地（２）に嵌入されたガスケットシール材（１５）を固定する目地ガスケットの止め部材（１０）において、ガスケットシール材（１５）の端部から長手方向に形成された中空部（１６）に嵌入される爪部（１１）と、爪部（１１）の嵌入方向に対して略直角内側に折れ曲がって形成され、外壁パネル（１，１）の端部に固定するための貼着層が裏面に設けられた平板（１２）と、からなるものである（請求項１）
【０００７】
また、本発明の目地ガスケットの止め部材（２０）は、少なくとも二対のシールリップ部（２５ａと２５ｂ，２５ｃと２５ｄ）が側面部に形成され、住宅用の外壁パネル（１，１）間の目地（２）に嵌入されたガスケットシール材（２５）を固定する目地ガスケットの止め部材（２０）において、ガスケットシール材（２５）の二対のシールリップ部（２５ａと２５ｂ，２５ｃと２５ｄ）の間に挿入されるとともに係止される爪部（２１）と、爪部（２１）の挿入方向に対して略直角内側に折れ曲がって形成され、外壁パネル（１，１）の端部に固定するための貼着層が裏面に設けられた平板（２２）と、からなるものである（請求項２）。
【０００８】
なお、請求項１又は請求項２において貼着層は、両面テープ（１３）を貼着することにより設けられたものであることが好ましい（請求項３）。
【０００９】
なお、括弧内の記号は図面に示し後述する発明の実施の形態の対応要素又は対応事項を示す。
【００１０】
請求項１に記載の目地ガスケットの止め部材によれば、爪部と平板とからなり、爪部が住宅用の外壁パネル間の目地に嵌入されたガスケットシール材の端部に形成された中空部に嵌入され、平板が外壁パネルの端部に貼着層を介して固定されるので、取り付け時は常に外部に露出した状態である。したがって、長期にわたり収縮及び脱落の心配がなく、また止め部材によるガスケットシール材の取り付け状態を視認することができるので安心である。
【００１１】
また、請求項２に記載の目地ガスケットの止め部材によれば、爪部と平板とからなり、爪部が少なくとも二対のシールリップ部が側面部に形成され、住宅用の外壁パネル間の目地に嵌入されたガスケットシール材の二対のシールリップ部の間に挿入、係止され、平板が外壁パネルの端部に貼着層を介して固定されるので、取り付け時は常に外部に露出した状態である。したがって、長期にわたり収縮及び脱落の心配がなく、また止め部材によるガスケットシール材の取り付け状態を視認することができるので安心である。また、請求項１の止め部材と異なり特に中空部が形成されていないガスケットシール材の固定も可能である。
【００１２】
更に好ましくは、貼着層は、両面テープを貼着することにより設けるので、施工作業が容易である。
【００１３】
【発明の実施の形態】
図面を参照して、本発明の実施形態に係る目地ガスケットの止め部材について説明する。なお、従来例で示した部分と同一の部分には同じ番号を記した。
図１は本実施形態に係る目地ガスケットの止め部材１０の展開図，図２はその先端爪部１１がＡ線で折り曲げられた状態を示す側面図，図３は止め部材１０の取り付けを示す斜視図，及び図４は止め部材１０が取り付けられた様子を示す拡大側面図である。
【００１４】
図１及び図２に示すように、本発明の実施形態に係る目地ガスケットの止め部材１０は、Ａ線を中心にして折曲可能な先端側の爪部１１と後端側の薄い平板１２からなり、平板１２の裏面には両面テープ１３が貼着されることにより貼着層が設けられている。この貼着層は、テープを使用しなくても例えば接着剤等の薬品を塗布するなどによって形成することができるが施工の容易性から両面テープ１３を使用することが好ましい。なお、止め部材１０を使用する場合には図２に示すように略直角（Ｌ字状）に折り曲げた状態にされる。すなわち、平板１２は爪部１１の延びる方向（嵌入方向）に対して略直角で取り付け時には内側に折れ曲がった状態に形成されている。
爪部１１は矢じり状で、嵌入後の保持を確実かつ強固にするためにかえし１１ａが形成されている。爪部１１の幅はそれが嵌入される、後述するガスケットシール材１５に形成された中空部１６の横幅よりも広くされている。また、平板１２は０．２ｍｍ〜０．５ｍｍ程度の薄板であり、その材質は錆に強いステンレスなどの金属板や樹脂成型品の板からなる。また、両面テープ１３はアクリル系やブチル系の粘着テープである。
【００１５】
次に、図３及び図４を参照して、以上のようにして構成される目地ガスケットの止め部材１０によって住宅用の外壁パネル１，１間の目地２に嵌入されたガスケットシール材１５を固定する様子を示す。なお、ガスケットシール材１５の両側面にはそれぞれ対になった目地幅よりも広い複数のシールリップ部１５ａと１５ｂ，１５ｃと１５ｄ，１５ｅと１５ｆが形成されていて、このシール材の嵌入でシールリップ部が湾曲し目地２の側面に弾接することにより雨水の住居への侵入を防止している。また、ガスケットシール材１５の端部からシール材が延びる長手方向には中空部１６が形成されている。なお、外壁パネル１は、外装材１ａと鉄製のパネルフレーム１ｂからなっている。
すなわち、目地２に嵌入された後のガスケットシール材１５の固定は、図３に示すように、外壁パネル１の端部側から止め部材１０を、その平板１２をパネルフレーム１ｂに平行にした状態で進入させ、爪部１１をガスケットシール材１５の中空部１６に嵌入させた後、平板１２を両面テープ１３を使用して外壁パネル１のパネルフレーム１ｂの端部に貼り付け固定するものである。
【００１６】
なお、図３及び図４にはガスケットシール材１５の一方の端部の固定を示したが、他方も同様な止め部材１０によって、すなわち、ガスケットシール材１５は２つの止め部材１０によって両端がそれぞれ確実にかつ強固に固定されている。このように止め部材１０は、外側に露出しているためいつでも視認することができるので、取り付け状態のチェックが簡単に行える。
【００１７】
図５は、本発明の他の実施形態に係る目地ガスケットの止め部材２０を示す斜視図である。この止め部材２０は、少なくとも二対のシールリップ部、この実施形態では三対のシールリップ部２５ａと２５ｂ，２５ｃと２５ｄ，２５ｅと２５ｆが側面部に形成され、住宅用の外壁パネル１，１間の目地に嵌入されたガスケットシール材２５を固定するものであり、止め部材１０と同様に爪部２１と、爪部２１の挿入方向に対して略直角内側に折れ曲がって形成され、外壁パネル１のパネルフレーム１ｂの端部に固定するための貼着層が両面テープ（図示しない）によって裏面に設けられた平板２２とから構成されている。そして、ガスケットシール材の二対のシールリップ部２５ａと２５ｂ，２５ｃと２５ｄの間に爪部２１を挿入させ、係止し、平板２２をパネルフレーム１ｂに貼り付け固定するものである。
止め部材１０と同様に止め部材２０も、外側に露出しているためいつでも視認することができるので、取り付け状態のチェックが簡単に行える。
【００１８】
【発明の効果】
以上のとおり、本発明の目地ガスケットの止め部材によれば、従来例と同様に長期にわたり収縮及び脱落の心配がないのに加え、取り付け時は常に外部に露出した状態であるので、止め部材によるガスケットシール材の取り付け状態を視認することができ安心である。
【００１９】
更に好ましくは、貼着層は、両面テープを貼着することにより設けるので、施工作業が容易である。
【図面の簡単な説明】
【図１】本発明の実施形態に係る目地ガスケットの止め部材１０の展開図である。
【図２】図１に示す止め部材１０の先端爪部１１が折り曲げられた状態を示す側面図である。
【図３】図１に示す目地ガスケットの止め部材１０の取り付けを示す斜視図である。
【図４】図１に示す目地ガスケットの止め部材１０が取り付けられた様子を示す拡大側面図である。
【図５】本発明の他の実施形態に係る目地ガスケットの止め部材２０を示す斜視図である。
【図６】従来例に示す目地ガスケットの止め部材４の取り付けを示す斜視図である。
【図７】図６に示す止め部材４にガスケットシール材３が取り付けられた様子を示す拡大断面図である。
【符号の説明】
１      外壁パネル
１ａ    外装材
１ｂ    パネルフレーム
２      目地
３      ガスケットシール材
３ａと３ｂ，３ｃと３ｄ，３ｅと３ｆ    シールリップ部
４      止め部材
１０      止め部材
１１      爪部
１２      平板
１３      両面テープ
１５      ガスケットシール材
１６      中空部
１５ａと１５ｂ，１５ｃと１５ｄ，１５ｅと１５ｆ    シールリップ部
２０      止め部材
２１      爪部
２２      平板
２５      ガスケットシール材
２５ａと２５ｂ，２５ｃと２５ｄ，２５ｅと２５ｆ    シールリップ部
【図１】
0003641086.tif 000002
【図２】
0003641086.tif 000003
【図３】
0003641086.tif 000004
【図４】
0003641086.tif 000005
【図５】
0003641086.tif 000006
【図６】
0003641086.tif 000007
【図７】
0003641086.tif 000008